(57)【要約】【課題】従来のリモコンでは、浴槽内の温水に浮かべることが想定されているが、リモコンを温水の水面に浮かせると、リモコンの筐体内の空気が加熱され膨張しようとする。一方、浴室用のリモコンは水密でなければ内部に湯水が浸入するので内部空間の空気が膨張しようとしても膨張することができない。そのため内部空間の圧力が上昇することになる。【解決手段】リモコンの筐体２内の空間を上面側５と下面側４とに気密に区画する区画壁３を設けると共に、上面側の空間５内の圧力の変化に伴って変形するダイアフラム３１をこの区画壁３に取り付け、更に下面側の空間４を通気シール４２を介して筐体２外に連通させた。【選択図】  図２
2012175454.tif 000002
【特許請求の範囲】
【請求項１】
浴室内で可搬することができ、浴槽内の湯水の水面に浮くことのできる浮力を発生させる大きさの内部空間を有する筐体を備え、上面に可撓性を有する防水フィルムで覆われた操作ボタンを備えた浴室用リモコンにおいて、上記筐体内の空間を上面側と下面側とに気密に区画する区画壁を設けると共に、上面側の空間内の圧力の変化に伴って変形するダイアフラムをこの区画壁に取り付け、更に下面側の空間を通気シールを介して筐体外に連通させたことを特徴とする浴室用リモコン。
【発明の詳細な説明】
【技術分野】
【０００１】
本発明は、浴槽内で浮くことのできる浴室用リモコンに関する。
【背景技術】
【０００２】
浴室内では給湯装置の操作の他、ＡＶ機器などの操作を行うためにリモコンが用いられている。特にＡＶ機器など、給湯装置以外の機器の操作を行うリモコンでは、リモコンを浴室の壁面に固定するのではなく、使用者がリモコンを手にとってリモコンを移動させることができる可搬式に構成されている。
【０００３】
このような可搬式のリモコンでは、浴槽内の湯水に落水させた際に水没すれば、浴槽内から引き上げなければならず、また、その際入浴剤による湯水の濁りや水面を覆う泡のためリモコンを目視できない状態だとリモコンの引き上げが困難になる。
【０００４】
ここで、リモコンの筐体内に、リモコンが水没せず水面に浮くことのできるだけの浮力が生じる空間を設け、リモコンを落水させても常にリモコンが水没することなく浮くようにしたリモコンが知られている（例えば、特許文献１参照）。
【先行技術文献】
【特許文献】
【０００５】
【特許文献１】実開平５−８８５２９号公報（請求項１）
【発明の概要】
【発明が解決しようとする課題】
【０００６】
上記従来のリモコンでは、浴槽内の温水に浮かべることが想定されているが、リモコンを温水の水面に浮かせると、リモコンの筐体内の空気が加熱され膨張しようとする。一方、浴室用のリモコンは水密でなければ内部に湯水が浸入するので、内部空間の空気が膨張しようとしても膨張することができない。そのため内部空間の圧力が上昇することになる。
【０００７】
リモコンには操作ボタンが設けられているが、操作ボタンは押し操作により移動するので筐体と操作ボタンとの間には必然的に隙間が生じているが、その隙間から湯水が筐体内に浸入しないように、防水フィルムで操作ボタンおよび筐体の表面を覆っている。上述のように、筐体内の圧力が上昇するとこの防水フィルムを内側から剥がす方向に空気圧が作用し、防水フィルムの防水性が損なわれる恐れが生じる。
【０００８】
なお、このような浴室用リモコンの筐体内部の圧力変化による弊害を防止するため、筐体の外壁の一部にダイアフラムを取り付けたものが知られている（実開平３-７９５８６号）。ところが、このダイアフラムを備えたリモコンは浴室の壁面に固定されるもので、ダイアフラムは壁面側に設けられるため、リモコンを壁面に固定すればダイアフラムは使用者の手に触れることがない。ところが、上記従来のリモコンのように使用者が自由に触って移動することのできる可搬式のリモコンの筐体の外壁にダイアフラムを設けると、ダイアフラムが容易に破れる恐れがある。仮にダイアフラムが破れれば筐体の水密性は確保できなくなり、筐体内部に湯水が浸入してリモコンが故障する。そのため可搬式のリモコンの外壁にダイアフラムを設けることができない。
【０００９】
そこで本発明は、上記の問題点に鑑み、可搬式のリモコンであっても筐体内部の圧力変化による弊害を回避することのできる浴室用リモコンを提供することを課題とする。
【課題を解決するための手段】
【００１０】
上記課題を解決するために本発明による浴室用リモコンは、浴室内で可搬することができ、浴槽内の湯水の水面に浮くことのできる浮力を発生させる大きさの内部空間を有する筐体を備え、上面に可撓性を有する防水フィルムで覆われた操作ボタンを備えた浴室用リモコンにおいて、上記筐体内の空間を上面側と下面側とに気密に区画する区画壁を設けると共に、上面側の空間内の圧力の変化に伴って変形するダイアフラムをこの区画壁に取り付け、更に下面側の空間を通気シールを介して筐体外に連通させたことを特徴とする。
【００１１】
例えば筐体内の空気が膨張すると、通気シールを通って筐体内部のうちの下面側の空間内の空気が排気される。上面側の空気は排気されないが、ダイアフラムが下面側に膨らむことによって圧力の上昇が防止される。逆に、筐体内の温度が低下して内部の空気が収縮すると、通気シールを通って外部の空気が下面側の空間に取り込まれる。なお、ダイアフラムはその際上面側に変形して上面側の空間内の圧力低下が防止される。通気シールは水は通さないが水蒸気は通過させる。そのため、下面側の空間内に結露が生じる恐れがある。また通気シールが破損した場合も下面側の空間内に水が浸入する恐れがある。但し、上面側の空間は隔壁とダイアフラムとによって水密性が担保されているので、上面側の空間内に水分が浸入することはない。
【発明の効果】
【００１２】
以上の説明から明らかなように、本発明は、上面側の空間内に電子部品を格納することにより、浮力が確保されたリモコンの筐体内の圧力変化を緩和させることができる。
【図面の簡単な説明】
【００１３】
【図１】本発明の一実施の形態の構成を示す図
【図２】II-II断面図
【発明を実施するための形態】
【００１４】
図１を参照して、１は本発明による浴室用のリモコンである。このリモコン１は射出成形により形成されたプラスチック製の筐体２を有しており、上面には各種の操作ボタン１１が設けられ、更に上面のほぼ全域を防水フィルム２１で覆っている。この防水フィルム２１は可撓性を有しており、操作スイッチ１１を押し操作した際に適度に変形することができ、かつ、各操作スイッチ１１の機能等が印刷されている。
【００１５】
図２を参照して、筐体２の内部は空洞であり、リモコン１を浴槽（図示せず）に落下させた際に水没することなく水面に浮くことができるのに十分な浮力が発生する容積が確保されている。
【００１６】
筐体２の内部空間は隔壁３によって２つに区分されている。下面側の空間４と上面側の空間５とを水密に隔絶する隔壁３にはゴム製のダイアフラム３１を設け、両空間４，５は相互に水密に区画されているが、内部の圧力はダイアフラム３１が変形することよって相互に同じ圧力になるようにした。
【００１７】
空間４には外部に連通する細孔４１を設け、その細孔４１を通気シール４２で塞いだ。通気シール４２は湯水は通過させないが空気や水蒸気といった気体は通過させるものであり、薄いフィルムに多数の微細孔が設けられている。そのため、空間４内の空気が膨張しあるいは収縮しても通気シール４２を介して気体の出入りがあるので、空間４内の圧力は常に外気圧とほぼ等しくなる。
【００１８】
一方、空間５には操作ボタン１１に対応して、プリント配線板６上のマイクロスイッチ６２が設けられている。空間５側の壁面には各操作ボタン１１に対応して開口５１が形成されており、その開口５１を通ってボタン本体６１が設けられている。操作ボタン１１を押し操作するとボタン本体６１が押し下げられてマイクロスイッチ６２がオンされる。そして、上述のように上面は防水フィルム２１で覆われているので、開口５１から湯水が空間５に浸入することはない。
【００１９】
上記構成によるリモコン１で、リモコン１に高温の湯がシャワーからかけられたり、あるいは浴槽内の湯に浮かされた場合に、筐体２の空間４，５内の空気は加熱され膨張する。空間４内の空気は上述のように通気シール４２から細孔４１を通って外部に排気されるので、空間４内の圧力は大気圧に保たれる。一方、空間５内の空気は空間５から他へ排気されないが、ダイアフラム３１が空間４側に変形して空間５の容積を増加させることにより、空間５の圧力上昇を防止する。ちなみに、ダイアフラム３１が空間４側に変形して空間４の容積が減少しても、空間４内の空気は上述のように排気されるので圧力は大気圧のまま保持される。そして、ダイアフラム３１が変形しても筐体２全体の内部容積は変化しないので、浮力が変化することはない。
【００２０】
また、逆に筐体２が冷却された場合には、空間５内の空気は収縮するがダイアフラム３１が空間５側に変形して圧力の減少を防止する。そして、空間４については細孔４１を通して外部の空気を空間４内に吸引するので、やはり空間４内の圧力は大気圧のまま保持されることになる。そして、この状態でも筐体２全体の浮力は変化しない。
【００２１】
なお、空間４内に空気と共に水蒸気を吸引して空間４内で結露が生じても、隔壁３とダイアフラム３１とによって空間５は水密に隔絶されているので、結露が空間５に浸入することはない。また、通気シール４２が万一破れて湯水が空間４に吸引されたとしても、同様にその湯水が空間５に浸入することはない。
【００２２】
なお、本発明は上記した形態に限定されるものではなく、本発明の要旨を逸脱しない範囲内において種々の変更を加えてもかまわない。
【符号の説明】
【００２３】
１  リモコン
２  筐体
３  隔壁
１１  操作ボタン
３１  ダイアフラム
４２  通気シール
【図１】
2012175454.tif 000003
【図２】
2012175454.tif 000004